(57)【要約】　　　（修正有）【課題】　太陽エネルギー或いは乾電池により電力を提供し、モータを運転させて、モータの運転の時間を延長し、大量の電池を携帯する必要をなくするソーラーポンプの提供。【解決手段】　主ケース、底蓋、パネルを具え、該主ケースと底蓋が結合されてケースを形成し、該主ケース内にモータ、少なくとも一つのダイアフラム、電池シートを具え、該モータの主軸がカムを回転させてプッシュロッドをダイアフラムに向けて押動させ、ダイアフラムに出気管と入気管が外接されたソーラーポンプにおいて、該主ケースの側辺にパネルが枢接され、該パネルの上にソーラー電池が嵌め込まれ、並びにソーラー電池の上に保護層があり、該ソーラー電池の電源線がスイッチに接続され、スイッチによりソーラー電池の供給電源と電源シートの電源との間の切り換え或いは切断が制御され、ソーラーエネルギー使用によるモータ運転時間の延長を達成した。【選択図】　　　　図４
0003099037.tif 000002
【実用新案登録請求の範囲】
【請求項１】
　主ケース、底蓋、及びパネルを具え、該主ケースと底蓋が結合されてケースを形成し、該主ケース内にモータ、少なくとも一つのダイアフラム、電池シートが設けられ、該モータの主軸がカムを回転させることでプッシュロッドをダイアフラムに向けて押動させ、ダイアフラムに出気管と入気管が外接されたソーラーポンプにおいて、
　該主ケースの側辺にパネルが枢接され、該パネルの上にソーラー電池が嵌め込まれ、並びに該ソーラー電池の上に透明な保護層が設けられ、ソーラー電池の電源線がスイッチに接続され、スイッチによりソーラー電池の電源供給か或いは電池シートの電源を供給するかの切り換えと電源の切断が制御されて、ソーラー電池によりモータの運転時間を延長することを特徴とする、ソーラーポンプ。
【請求項２】
　請求項１記載のソーラーポンプにおいて、主軸のカムが偏心カムとされ、該カムに二つのプッシュロッドが套設され、該プッシュロッドが対応するダイアフラムを押動し、ダイアフラム内が気室とされ、該気室に逆止めされて気室の空気の送り出しに供される出気管が外接されたほか、該気室に逆止めされて気室への空気の導入に供される入気管が外接されたことを特徴とする、ソーラーポンプ。
【請求項３】
　請求項１記載のソーラーポンプにおいて、パネルの一側に二つの軸柱が設けられて、該軸柱が主ケースの軸スリーブ内に枢接されてパネルがある角度開放可能とされ、且つ該パネルの別側底部に主ケースの位置決め溝内に係合可能な凸ピンが設けられたことを特徴とする、ソーラーポンプ。
【考案の詳細な説明】
【技術分野】
【０００１】
　本考案は一種の小型エアポンプに係り、特に、ソーラーポンプに関するものである。
【背景技術】
【０００２】
　周知のとおり、河川や海辺及び海上で釣りを行なう時、釣った魚或いは使用する餌を水を入れた箱内に入れ、さらにポンプで空気を送り、魚や餌を生かし、新鮮に保持する。小型のエアポンプは乾電池を電源としているため、釣りの時間が長く、数時間から一日かかる場合は、乾電池の電気が切れ、魚や餌が死んで新鮮さを失う場合があり、損失を形成した。もし大量の乾電池を携帯すると、携帯の不便が生じる。
【考案の開示】
【考案が解決しようとする課題】
【０００３】
　本考案は一種のソーラーポンプを提供することを目的とし、それは太陽エネルギー或いは乾電池により電力を提供し、モータを運転させて、モータの運転の時間を延長し、大量の電池を携帯する必要をなくすものとする。
【０００４】
　本考案はまた一種のソーラーポンプを提供することを目的とし、それは、蓋式内蔵ソーラー電池により、ある角度開けて随時ソーラー電池を使用することができ、且つ場所をとらないものとする。
【課題を解決するための手段】
【０００５】
　請求項１の考案は、主ケース、底蓋、及びパネルを具え、該主ケースと底蓋が結合されてケースを形成し、該主ケース内にモータ、少なくとも一つのダイアフラム、電池シートが設けられ、該モータの主軸がカムを回転させることでプッシュロッドをダイアフラムに向けて押動させ、ダイアフラムに出気管と入気管が外接されたソーラーポンプにおいて、
　該主ケースの側辺にパネルが枢接され、該パネルの上にソーラー電池が嵌め込まれ、並びに該ソーラー電池の上に透明な保護層が設けられ、ソーラー電池の電源線がスイッチに接続され、スイッチによりソーラー電池の電源供給か或いは電池シートの電源を供給するかの切り換えと電源の切断が制御されて、ソーラー電池によりモータの運転時間を延長することを特徴とする、ソーラーポンプとしている。
　請求項２の考案は、請求項１記載のソーラーポンプにおいて、主軸のカムが偏心カムとされ、該カムに二つのプッシュロッドが套設され、該プッシュロッドが対応するダイアフラムを押動し、ダイアフラム内が気室とされ、該気室に逆止めされて気室の空気の送り出しに供される出気管が外接されたほか、該気室に逆止めされて気室への空気の導入に供される入気管が外接されたことを特徴とする、ソーラーポンプとしている。
　請求項３の考案は、請求項１記載のソーラーポンプにおいて、パネルの一側に二つの軸柱が設けられて、該軸柱が主ケースの軸スリーブ内に枢接されてパネルがある角度開放可能とされ、且つ該パネルの別側底部に主ケースの位置決め溝内に係合可能な凸ピンが設けられたことを特徴とする、ソーラーポンプとしている。
【考案の効果】
【０００６】
　本考案のソーラーポンプは、主ケース、底蓋、パネルを具え、該主ケースと底蓋が結合されてケースを形成し、該主ケース内にモータ、少なくとも一つのダイアフラム、電池シートを具え、該モータの主軸がカムを回転させてプッシュロッドをダイアフラムに向けて押動させ、ダイアフラムに出気管と入気管が外接されたソーラーポンプにおいて、該主ケースの側辺にパネルが枢接され、該パネルの上にソーラー電池が嵌め込まれ、並びにソーラー電池の上に保護層があり、該ソーラー電池の電源線がスイッチに接続され、スイッチによりソーラー電池の供給電源と電源シートの電源との間の切り換え或いは切断が制御され、ソーラーエネルギー使用によるモータ運転時間の延長を達成した。
【考案を実施するための最良の形態】
【０００７】
　本考案のソーラーポンプは、図１、２、３に示されるように、ケース１０とパネル２０を具え、該ケース１０は主ケース１１と底蓋１２で組成され、該主ケース１１と底蓋１２が結合され、主ケース１１の一側に二つの相互に対称な軸スリーブ１１１が設けられ、該軸スリーブ１１１がパネル２０の軸柱２１の枢接に供され、該パネル２０の別側の底部に凸ピン２２（図５）が設けられ、該凸ピン２２が主ケース１１の対応側の位置決め溝１１２内に嵌入可能とされ、該パネル２０の上面にソーラー電池２３（パネル状を呈する）が嵌め込まれ、該ソーラー電池２３の上に透明な保護層が塗布されるか、或いは透明なガラス保護カバーで保護され、ソーラー電池２３を衝撃より保護し、ソーラー電池２３の損壊を防止している。主ケース１１と底蓋１２内にモータ１３、二つのダイアフラム１４、電池シート１５及びスイッチ１６が設けられ、該モータ１３が主軸１３１を具え、該主軸１３１に偏心のカム１３２が固定され、カム１３２に二つのプッシュロッド１３３が枢接され、プッシュロッド１３３の一側に押し板１３４が設けられ、該押し板１３４がダイアフラム１４を押圧し、該ダイアフラム１４はゴムで形成されて弾性塑性を有し、押圧により変形した後に回復し、ダイアフラム１４の内側に気室１４１が設けられ、該気室１４１に出気管１４２と入気管１４３が外接され、該出気管１４２に逆止め装置が設けられて気室１４１内の空気を外向きに送り出すことのみ可能とされ、入気管１４３内に逆方向の逆止め装置が設けられて外部の空気を気室１４１内にのみ進入させ送り出さないものとされる。該出気管１４２に管路１４４（図５、６）が外接され、管路１４４は魚の桶内に連接されている。電池シート１５には二つの電池１５１が収容され、スイッチ１６により導通が制御され、該スイッチ１６は三段式とされ、一つは切断、もう一つの電池シート１５の電源との連通、残る一つはソーラー電池２３の電源との連通とされる。該底蓋１２の底部にはクリップ１２１が設けられて衣服のバンドや他の物体に取り付けるのに供される。
【０００８】
　上述の構造の組み合わせにより、本考案のソーラーポンプは、図５、６に示されるように、パネル２０がある角度に開かれて、太陽光を受けるものとされるか、或いは閉じられる。パネル２０のソーラー電池２３が太陽エネルギーを吸収し、電力に変換してモータ１３を駆動し運転させることができ（図４）、これによりカム１３２を回転させてプッシュロッド１３３を両側に向けて往復させ、並びにダイアフラム１４を押圧させ、ダイアフラム１４が気室１４１内の空気を外向きに押して、出気管１４２により空気を送出し、入気管１４３より空気を進入させ、こうして電源が提供されて空気を魚を入れた桶内に送る。
【０００９】
　現在、ソーラー電池を運用した物品は多いが、多くは実用的でない。しかし本考案は小型のエアポンプに応用して、釣り人が携帯しやすくし、真にソーラー電池の電源によりモータを駆動し、一般電池の使用寿命を延長し、釣り人に便利さを提供しその損失を防止する。且つソーラー電池の増加が全体体積に影響を与えず、携帯に便利で、晴れた日であればいつでも使用できる。
【００１０】
　総合すると本考案のソーラーポンプは、進歩性、実用性を具え、且つその構造は従来にはなく新規性を具えている。
【図面の簡単な説明】
【００１１】
【図１】本考案の斜視図である。
【図２】本考案の平面図である。
【図３】本考案の側面図である。
【図４】本考案の断面図である。
【図５】本考案のパネルを開けた状態の側面図である。
【図６】本考案のパネルを開けた状態の斜視図である。
【符号の説明】
【００１２】
１０　ケース　　　　　１３２　カム　　　　　　１５　電池シート
１１　主ケース　　　　１３３　プッシュロッド　１５１　電池
１１１　軸スリーブ　　１３４　押し板　　　　　１６　スイッチ
１１２　位置決め溝　　１４　ダイアフラム　　　２０　パネル
１２　底蓋　　　　　　１４１　気室　　　　　　２１　軸柱
１２１　クリップ　　　１４２　出気管　　　　　２２　凸ピン
１３　モータ　　　　　１４３　入気管　　　　　２３　ソーラー電池
１３１　主軸　　　　　１４４　管路
【図１】
0003099037.tif 000003
【図２】
0003099037.tif 000004
【図３】
0003099037.tif 000005
【図４】
0003099037.tif 000006
【図５】
0003099037.tif 000007
【図６】
0003099037.tif 000008